(57)【要約】【課題】室内景観や室内装飾を損なうことなく、斬新さや面白みを具備する。【解決手段】縦長状の複数の帯布１，２と、横長状の複数の回転板３，４とを備え、帯布１，２がその上端及び下端を最上段及び最下段の回転板３’，３’’に取り付けられて横方向に隣合って垂れ、その他の回転板３，４が帯布１，２に対して網組状に差し込まれ縦方向に隣合って配され、最上段の回転板３’が横方向を中心に回転軸７に対して回転可能に支持されており、最上段の回転板３’を反転することにより、各帯布１，２が上下方へ移動し、他の回転板３，４が反転しながら、採光状態と遮光状態とが切り替わる。【選択図】図１
2008007948.tif 000002
【特許請求の範囲】
【請求項１】
縦長状の複数の帯布（１，２）と、横長状の複数の回転板（３，４）とを備え、前記帯布（１，２）がその上端（１０，２０）及び下端（１１，２１）を最上段及び最下段の前記回転板（３’，３’’）に取り付けられて横方向に隣合って垂れ、その他の前記回転板（３，４）が前記帯布（１，２）に対して網組状に差し込まれ縦方向に隣合って配され、前記最上段の回転板（３’）が横方向を中心に回転軸（７）に対して回転可能に支持されており、
前記回転板（３，４）が光を遮る遮光部分（３ａ，４ａ）と光を通す採光部分（３ｂ，４ｂ）とを有し、前記帯布（１，２）も遮光部分（１ａ，２ａ）と採光部分（１ｂ，２ｂ）とを有しており、
前記帯布（１，２）の遮光部分（１ａ，２ａ）が前記回転板（３，４）の遮光部分（３ａ，４ａ）に重なると共に、前記帯布（１，２）の採光部分（１ｂ，２ｂ）が前記回転板（３，４）の採光部分（３ｂ，４ｂ）に重なる採光状態と、
前記帯布（１，２）の遮光部分（１ａ，２ａ）が前記回転板（３，４）の採光部分（３ｂ，４ｂ）に重なると共に、前記帯布（１，２）の採光部分（１ｂ，２ｂ）が前記回転板（３，４）の遮光部分（３ａ，４ａ）に重なる遮光状態と、を切り替え可能であって、
前記最上段の回転板（３’）を一方向（７ａ）及び他方向（７ｂ）に反転することにより、前記各帯布（１，２）が上下方へ移動し、他の前記回転板（３，４）が反転しながら、前記採光状態と前記遮光状態とが切り替わることを特徴とする採光調節装置。
【請求項２】
縦長状の複数の帯布（１，２）と、横長状の複数の回転板（３，４）とを備え、前記帯布（１，２）がその上端（１０，２０）及び下端（１１，２１）を最上段及び最下段の前記回転板（３’，３’’）に取り付けられて横方向に隣合って垂れ、その他の前記回転板（３，４）が前記帯布（１，２）に対して網組状に差し込まれ縦方向に隣合って配され、前記最上段の回転板（３’）が横方向を中心に回転軸（７）に対して回転可能に支持されており、
前記回転板（３，４）が光を遮る遮光部分（３ａ，４ａ）と光を通す採光部分（３ｂ，４ｂ）とを有し、この遮光部分（３ａ，４ａ）と採光部分（３ｂ，４ｂ）とが前記帯布（１，２）によって区画される部分毎に横方向及び縦方向に夫々交互に設けられ、更に、前記帯布（１，２）も遮光部分（１ａ，２ａ）と採光部分（１ｂ，２ｂ）とを有し、この遮光部分（１ａ，２ａ）と採光部分（１ｂ，２ｂ）とが前記回転板（３，４）によって区画される部分毎に横方向及び縦方向に夫々交互に設けられており、
第一の前記帯布（１）が、その上端（１０）を前記最上段の回転板（３’）の裏面（３１）に取り付けられると共に、この回転板（３’）の上方から表面（３０）に巻き込んで垂れており、前記第一の帯布（１）に隣接する第二の前記帯布（２）が、その上端（２０）を前記最上段の回転板（３’）の表面（３０）に取り付けられると共に、この回転板（３’）の上方から裏面（３１）に巻き込んで垂れており、
前記帯布（１，２）の遮光部分（１ａ，２ａ）が前記回転板（３，４）の遮光部分（３ａ，４ａ）に重なり、前記帯布（１，２）の採光部分（１ｂ，２ｂ）が前記回転板（３，４）の採光部分（３ｂ，４ｂ）に重なる採光状態と、
前記帯布（１，２）の遮光部分（１ａ，２ａ）が前記回転板（３，４）の採光部分（３ｂ，４ｂ）に重なり、前記帯布（１，２）の採光部分（１ｂ，２ｂ）が前記回転板（３，４）の遮光部分（３ａ，４ａ）に重なる遮光状態と、を切り替え可能であって、
前記採光状態から、前記最上段の回転板（３’）を一方向（７ａ）に反転することにより、前記第一の帯布（１）が上方へ移動し、前記第二の帯布（２）が下方へ移動すると共に、他の前記回転板（３，４）が反転しながら、前記遮光状態に切り替わり、
前記遮光状態から、前記最上段の回転板（３’）を他方向（７ｂ）に反転することにより、前記第一の帯布（１）が下方へ移動し、前記第二の帯布（２）が上方へ移動すると共に、他の前記回転板（３，４）が反転しながら、前記採光状態に切り替わることを特徴とする採光調節装置。
【請求項３】
前記回転板（３，４）は、採光部分（３ｂ，４ｂ）が透明部分又は開口部分であることを特徴とする請求項１又は２に記載の採光調節装置。
【請求項４】
前記遮光状態において、全ての前記遮光部分（１ａ，２ａ，３ａ，４ａ）によって、全体として統一された模様を表現するように構成されていることを特徴とする請求項１乃至３に記載の採光調節装置。
【請求項５】
前記回転板（３，４）の全部又は一部が、前記帯布（１，２）の横ずれを防止するための手段（８）を備えていることを特徴とする請求項１乃至４に記載の採光調節装置。
【請求項６】
請求項１乃至５のいずれか１項に記載の採光調節装置において、前記回転板（３，４）を畳むための手段（９）を備えていることを特徴とする採光調節装置。
【発明の詳細な説明】
【技術分野】
【０００１】
本発明は、建物等の窓に配されて、室内の採光を調節するための装置に関し、特に、斬新さや面白みを増した採光調節装置に関するものである。
【背景技術】
【０００２】
建物等の窓に配されて、室内の採光を調節するための一般的な手段として、カーテンがある。周知のように、カーテンは、厚地カーテンとレースカーテンを重ねて吊り下げてなる。そして、レースカーテンで窓を覆った状態にして、遮光時には厚地カーテンを閉じて窓を覆い、採光時には厚地カーテンを畳んで収納する。従って、採光時に厚地カーテンを畳むことによって生じる襞溜まりが、室内景観を損なうことがある。
【０００３】
又、採光を調節する手段としてブラインドがある（例えば、特許文献１参照）。ブラインドは、開閉可能な複数の遮蔽板を配列してなる。採光時には、遮蔽板を開状態にするので、開いた部分から室内の様子を観られることがある。又、アルミ製等の遮蔽板を平行に配列したものが多いので、室内装飾としての美観に欠ける。
カーテンやブラインドは、上記したような装飾品としての欠点がある。更に、これらは非常に古くから提供されているので、ユーザーは、新しい機能やスタイルの採光調節装置の提案を待ち望んでいる。
【特許文献１】特開２００５−２８２０７１号公報
【発明の開示】
【発明が解決しようとする課題】
【０００４】
そこで本発明が解決しようとする課題は、上記した諸事情に鑑み、室内景観や室内装飾を損なうことなく、斬新さや面白みを付加した採光調節装置を提供することにある。
【課題を解決するための手段】
【０００５】
本発明に係る採光調節装置は、縦長状の複数の帯布と、横長状の複数の回転板とを備え、帯布がその上端及び下端を最上段及び最下段の回転板に取り付けられて横方向に隣合って垂れ、その他の回転板が帯布に対して網組状に差し込まれ縦方向に隣合って配され、最上段の回転板が横方向を中心に回転軸に対して回転可能に支持されており、回転板が光を遮る遮光部分と光を通す採光部分とを有し、帯布も遮光部分と採光部分とを有しており、帯布の遮光部分が回転板の遮光部分に重なると共に、帯布の採光部分が回転板の採光部分に重なる採光状態と、帯布の遮光部分が回転板の採光部分に重なると共に、帯布の採光部分が回転板の遮光部分に重なる遮光状態と、を切り替え可能であって、最上段の回転板を一方向及び他方向に反転することにより、各帯布が上下方へ移動し、他の回転板が反転しながら、採光状態と遮光状態とが切り替わるよう構成されている。
【０００６】
又、本発明に係る採光調節装置は、縦長状の複数の帯布と、横長状の複数の回転板とを備え、帯布がその上端及び下端を最上段及び最下段の回転板に取り付けられて横方向に隣合って垂れ、その他の回転板が帯布に対して網組状に差し込まれ縦方向に隣合って配され、最上段の回転板が横方向を中心に回転軸に対して回転可能に支持されており、回転板が光を遮る遮光部分と光を通す採光部分とを有し、この遮光部分と採光部分とが帯布によって区画される部分毎に横方向及び縦方向に夫々交互に設けられ、更に、帯布も遮光部分と採光部分とを有し、この遮光部分と採光部分とが回転板によって区画される部分毎に横方向及び縦方向に夫々交互に設けられており、第一の帯布が、その上端を最上段の回転板の裏面に取り付けられると共に、この回転板の上方から表面に巻き込んで垂れており、第一の帯布に隣接する第二の帯布が、その上端を最上段の回転板の表面に取り付けられると共に、この回転板の上方から裏面に巻き込んで垂れており、帯布の遮光部分が回転板の遮光部分に重なり、帯布の採光部分が回転板の採光部分に重なる採光状態と、帯布の遮光部分が回転板の採光部分に重なり、帯布の採光部分が回転板の遮光部分に重なる遮光状態と、を切り替え可能であって、採光状態から、最上段の回転板を一方向に反転することにより、第一の帯布が上方へ移動し、第二の帯布が下方へ移動すると共に、他の回転板が反転しながら、遮光状態に切り替わり、遮光状態から、最上段の回転板を他方向に反転することにより、第一の帯布が下方へ移動し、第二の帯布が上方へ移動すると共に、他の回転板が反転しながら、採光状態に切り替わるよう構成されている。
【０００７】
好ましくは、回転板は採光部分が透明部分又は開口部分である。遮光状態において、全ての遮光部分によって全体として統一された模様を表現するように構成されている。
【０００８】
更に好ましくは、回転板の全部又は一部が、帯布の横ずれを防止するための手段を備えている。
【０００９】
更に好ましくは、採光調節装置において、回転板を畳むための手段を備えている。
【発明の効果】
【００１０】
本発明に係る採光調節装置は、上記のように構成されて、従来のカーテンやブラインド等にないカラクリ的な要素が付加されており、斬新さや面白みを具備することにより、需要の喚起を著しく増大させることができる。特に、回転板が反転しながら遮光と採光とが切り替えられ、看者に対して意外性を与えることができる。更に、この採光調節装置によれば、カーテンのような室内景観を損なうことがなく、又ブラインドのように室内装飾としての欠点もない。
【００１１】
更に、この採光調節装置によれば、採光状態と遮光状態とが略同じ形状であるので、カーテンのように目障りな襞溜りが生じたり、ベネシャンブラインドのように遮蔽板の回転角度に応じた寸法変化による余分な占有スペースが不要であるので、特に間仕切りとして使用した際に、室内空間にすっきりと納まりがよいという効果がある。
【発明を実施するための最良の形態】
【００１２】
以下、添付図面に基づいて、本発明に係る採光調節装置の一実施形態について詳細に説明する。
【００１３】
図１は、採光状態における採光調節装置の表面側を示す正面図である。図２は、図１の一部を破断した状態を示す側面図である。図１の如く、本発明に係る採光調節装置は、建物等の小窓Ｗに設けられている。本実施形態の採光調節装置は、５つの縦長状の帯布１，２と、７つの横長状の回転板３，４とを備えている。帯布１，２及び回転板３，４の数は、窓Ｗの大きさ等に応じて増減する。最上段の回転板３’は、長手方向を中心として回転可能なように、両側に回転軸７，７を備えている。
【００１４】
図１及び図２に示すように、採光調節装置は、支持ボックス７２を有している。支持ボックス７２は、窓枠Ｗａの上部に取り付けられている。図２の如く、支持ボックス７２は、断面が逆Ｌ字状の部材である。図１の如く、支持ボックス７１は、一方の側壁に軸受７０を備えており、他方の側壁にプーリー７１を備えている。プーリー７１には、操作チェーン７１ａが設けられている。この操作チェーン７１ａを操作することにより、プーリー７１が回転するように構成されている。そして、一方の回転軸７は軸受７０に回転支持され、他方の回転軸７はプーリー７１に固定支持されている。後述するように、採光調節装置は、プーリー７１を介して、回転軸７，７を中心に最上段の回転板３’を反転することにより、採光状態と遮光状態とを切り替え可能になっている。
【００１５】
図１の左端に第一の帯布１が配置されており、その右隣に第二の帯布２が配置されている。この第二の帯布２の右隣に第一の帯布１が配置され、その右隣に第二の帯布２が配置されている。そして、図１の右端に第一の帯布１が配置されている。即ち、第一の帯布１と第二の帯布２とが順列的に交互に配置されている。
【００１６】
各帯布１，２は、それぞれ略同じ構造である。各帯布１，２の基地は、採光可能なレース地である。更に、各帯布１，２は、長手方向（縦方向）に７つに区画され、この各区画部分の一つ置きに模様等が付された遮光性の布が取り付けられている。これにより、各帯布１，２は、各区画部分ごとに、光を遮る遮光部分１ａ，２ａと光を通す採光部分１ｂ，２ｂとが順列的に交互に設けられる。各帯布１，２における遮光部分１ａ，２ａと採光部分１ｂ，２ｂとの区画部分は、各回転板３，４の縦幅（高さ）で区画されている。尚、帯布１，２は、可撓性のあるリボンテープや細長の紐状等であってもよく、特に、繊維密度や組織等によって遮光部分と採光部分を区分しやすい織編物であるのが好ましい。
【００１７】
そして、第一の帯布１及び第二の帯布２は、遮光部分１ａ，２ａと採光部分１ｂ，２ｂとが横方向及び縦方向にそれぞれ交互に配置されている。即ち、図１の如く、各帯布１，２は、長手方向（縦方向）に遮光部分１ａ，２ａと採光部分１ｂ，２ｂとが順列的に交互に設けられている。更に、第一の帯布１における遮光部分１ａの横（左右隣）に、第二の帯布２における採光部分２ｂが配置され、第一の帯布１における採光部分１ｂの横（左右隣）に、第二の帯布２における遮光部分２ａが配置されている。
【００１８】
図１において、最上段に第一の回転板３’が配置されており、その下に第二の回転板４が配置されている。この回転板４の下に第一の回転板３が配置され、その下に第二の回転板４が配置されている。そして、図１の最下段に第一の回転板３’’が配置されている。即ち、第一の回転板３と第二の回転板３とが順列的に交互に配置されている。
【００１９】
各回転板３，４は、それぞれ略同じ構造である。各回転板３，４の基板は、採光可能な透明なプラスチック板等（採光性板）である。更に、各回転板３，４は、長手方向（横方向）に５つに区画され、各区画部分の一つ置きに模様が付された遮光性の布（遮光性の板等でもよい）が取り付けられている。これにより、各回転板３，４は、各区画区分ごとに、光を遮る遮光部分３ａ，４ａと光を通す採光部分３ｂ，４ｂとが順列的に交互に設けられる。各回転板３，４における遮光部分３ａ，４ａと採光部分３ｂ，４ｂとの区画部分は、各帯布１，２の横幅（短長）で区画されている。
【００２０】
尚、上記のように、本実施形態では、各回転板３，４は、遮光布を取り付けて遮光部分３ａ，４ａを構成し、透明プラスチック基板で採光部分３ｂ，４ｂを構成しているが、遮光性板（例えば、模様が付されたプラスチック板や金属板等）を基板として遮光部分３ａ，４ａを構成し、窓部（貫通部）を設けることにより採光部分３ｂ，４ｂを構成してもよい。
【００２１】
そして、第一の回転板３及び第二の回転板４は、遮光部分３ａ，４ａと採光部分３ｂ，４ｂとが横方向及び縦方向にそれぞれ交互に配置されている。即ち、図１の如く、各回転板３，４は、長手方向（横方向）に遮光部分３ａ，４ａと採光部分３ｂ，４ｂとが順列的に交互に設けられている。更に、第一の回転板３における遮光部分３ａの上下（縦隣）に、第二の回転板４における採光部分４ｂが配置され、第一の回転板４における採光部分４ｂの上下（縦隣）に、第一の回転板３における遮光部分３ａが配置されている。
【００２２】
図３は、採光調節装置の組み立て工程を説明するための正面図である。図４は、採光状態における採光調節装置を示し、（ａ）は図１に示すＩ−Ｉ線断面図、（ｂ）は図１に示すＩＩ−ＩＩ線断面図である。尚、図４において、各回転板３，４同士の間隔、及び各帯布１，２と各回転板３，４との間隔は理解しやすいように大きく描かれているが、実際の実施形態ではそれぞれ１，２，３，４の間隔は狭く、互いに近接している。
【００２３】
図３の如く、採光調節装置において、各帯布１，２は、その上端が最上段の回転板３’に取り付けられ、その下端が最下段の回転板３’’に取り付けられており、横方向に隣合って垂れている。そして、採光調節装置は、各回転板３，４が各帯布１，２に対して編み組み状に差し込まれて位置固定されている。
【００２４】
図４（ａ）の如く、第一の帯布１は、その上端１０を最上段にある第一の回転板３’の裏面３１に取り付けられている。そして、第一の帯布１は、最上段の回転板３’の上方から表面３０に巻き込んで垂れている。各回転板３，４は各帯布１，２に対して網組状に差し込まれているので、第一の帯布１は、第一の回転板３の表面側３０と、第二の回転板４の裏面側４１と、に配置されている。そして、第一の帯布１は、その下端１１を最下段にある第一の回転板３’’の裏面３１に取り付けられている。
【００２５】
図４（ｂ）の如く、第二の帯布２は、その上端２０を最上段にある第一の回転板３’の表面３０に取り付けられている。そして、第二の帯布２は、最上段の回転板３’の上方から裏面３１に巻き込んで垂れている。各回転板３，４は各帯布１，２に対して網組状に差し込まれているので、第二の帯布２は、第一の回転板３の裏面側３１と、第二の回転板４の表面側４０と、に配置されている。そして、第二の帯布２は、その下端２１を最下段にある第一の回転板３’’の表面３０に取り付けられている。
【００２６】
図１及び図４は、採光調節装置における採光状態を示す。図１及び図４（ａ）の如く、第一の帯布１における採光部分１ｂが、第一の回転板３における採光部分３ｂに位置している。そして、第一の帯布１における遮光部分１ａが、第二の回転板４における遮光部分４ａに位置している。図１及び図４（ｂ）の如く、第二の帯布２における遮光部分２ａが、第一の回転板３における遮光部分３ａに位置している。そして、第二の帯布２における採光部分２ｂが、第二の回転板４における採光部分４ｂに位置している。
【００２７】
即ち、各帯布１，２における遮光部分１ａ，２ａが、各回転板３，４における遮光部分３ａ，４ａに重なり、各帯布における採光部分１ｂ，２ｂが、各回転板３，４における採光部分３ｂ，４ｂに重なることにより、それぞれの採光部分１ｂ乃至４ｂから光を通すことができる。図１では、各遮光部分１ａ，４ａ及び２ａ，３ａが重なる部分を左右斜線のハッチング線で示し、各採光部分１ｂ，３ｂ及び２ｂ，４ｂが重なる部分をハッチング線無し（無模様）で示している。
【００２８】
次に、採光調節装置における遮光状態について説明する。図５は、遮光状態における採光調節装置の表面側を示す正面図である。図６は、遮光状態における採光調節装置を示し、（ａ）は図３に示すＩＩＩ−ＩＩＩ線断面図、（ｂ）は図３に示すＩＶ−ＩＶ線断面図である。
【００２９】
回転軸７，７を介して、最上段の回転板３’を一方向（図１に示す矢印方向７ａ）に反転する。これにより、採光調節装置は、採光状態から、図５及び図６の遮光状態に切り替わる。この切り替わり状態に関する詳細説明は、図７及び図８に基づき後述する。
【００３０】
図５及び図６（ａ）の如く、第一の帯布１における採光部分１ｂが、第二の回転板４における遮光部分４ａに位置している。そして、第一の帯布１における遮光部分１ａが、第一の回転板３における採光部分３ｂに位置している。図５及び図６（ｂ）の如く、第二の帯布２における遮光部分２ａが、第二の回転板４における採光部分４ｂに位置している。そして、第二の帯布２における採光部分２ｂが、第一の回転板３における遮光部分３ａに位置している。
【００３１】
即ち、各帯布１，２における遮光部分１ａ，２ａが各回転板３，４における採光部分３ｂ，４ｂに重なり、各帯布における採光部分１ｂ，２ｂが各回転板３，４における遮光部分３ａ，４ａに重なることにより、光を遮断することができる。図５では、各帯布１，２の遮光部分１ａ，２ａが重なる部分を右上向きのハッチング線で示し、各回転板３，４の遮光部分３ａ，４ａが重なる部分を左上向きのハッチング線で示している。
【００３２】
そして、採光調節装置は、この遮光状態から、回転軸７，７を介して最上段の回転板３’を他方向（図５に示す矢印方向７ｂ）に反転して戻すことにより、図１及び図４の採光状態に切り替わる。
【００３３】
図５における遮光状態において、帯布１，２及び回転板３，４における全ての遮光部分１ａ，２ａ，３ａ，４ａによって、全体として統一された模様（例えば、著名な絵画や統一したモチーフの模様など）を表現するように構成されていてもよい。
【００３４】
次に、採光調節装置における採光状態から遮光状態に切り替わる状態について説明する。図７は、Ｉ−Ｉ線断面（図１）からＩＩＩ−ＩＩＩ線断面（図５）に切り替わる動作を示す断面図である。
【００３５】
図７（ａ）では、第一の回転板３における採光部分３ｂが、第一の帯布１における採光部分１ｂに重なっており、第二の回転板４における遮光部分４ａが、第一の帯布１における採光部分１ａに重なり、採光状態になっている。前述したように、操作チェーン７１ａを操作して、プーリー７１を介して、回転軸７を矢印方向７ａに反転する（図１及び図７）。これによって、図７（ａ）及び（ｂ）の如く、最上段の回転板３’が矢印方向７ａに反転する。これにより、図７（ｂ）の如く、すぐ下の回転板４が押されて自重により下方に回転する。更に、第一の帯布１は、回転板３’に巻き込まれるので、回転板３’の縦幅（高さ）分だけ上方に移動する。尚、最上段の回転板３’は、回転軸７，７によって軸支され上下方向（高さ方向）に移動しないので、残りの各回転板３，４も上下方向（高さ方向）には移動しない。
【００３６】
そして、図７（ｃ）の如く、上記の回転板４が反転する。これにより、図７（ｄ）の如く、すぐ下の回転板３が押されて自重により下方に回転する。そして、図７（ｅ）の如く、この回転板３が反転する。これにより、図７（ｆ）の如く、すぐ下の回転板３が押されて自重により下方に回転する。このようにして、図７（ｇ）の如く、残りの回転板３，４も全て反転する。これにより、第一の回転板３における採光部分３ｂが、第一の帯布１における遮光部分１ａに重なって、第二の回転板４における遮光部分４ａが、第一の帯布１における採光部分１ｂに重なって、遮光状態になる。
【００３７】
図８は、ＩＩ−ＩＩ線断面（図１）からＩＶ−ＩＶ線断面（図５）に切り替わる動作を示す断面図である。
【００３８】
図８（ａ）では、第一の回転板３における遮光部分３ａが、第二の帯布２における遮光部分２ａに重なっており、第二の回転板４における採光部分４ｂが、第二の帯布２における採光部分２ｂに重なり、採光状態になっている。図８（ａ）及び（ｂ）の如く、最上段の回転板３’を矢印方向７ａに反転する。これにより、図８（ｂ）の如く、すぐ下の回転板４が押されて自重により下方に回転する。更に、第二の帯布２は、回転板３’に巻き込まれていた分が開放されて回転板３’の縦幅（高さ）分だけ下方に移動する。尚、最上段の回転板３’は回転軸７，７によって軸支され上下方向に移動しない。
【００３９】
そして、図８（ｃ）の如く、上記の回転板４が反転する。これにより、図８（ｄ）の如く、すぐ下の回転板３が押されて自重により下方に回転する。そして、図８（ｅ）の如く、この回転板３が反転する。これにより、図８（ｆ）の如く、すぐ下の回転板３が押されて自重により下方に回転する。このようにして、図８（ｇ）の如く、残りの回転板３，４も全て反転する。これにより、第一の回転板３における遮光部分３ａが第二の帯布２における採光部分２ｂに重なり、第二の回転板４における採光部分４ｂが、第二の帯布２における遮光部分２ａに重なって、遮光状態になる。
【００４０】
図１及び図５に示すように、各回転板３，４は、両側に小孔９ａ，９ａが設けられている。そして、採光調節装置は、窓Ｗを開閉する際等に、各回転板３，４を上方で重ねて畳むための畳み紐９を備えている。畳み紐９は、両端が最下段の回転板３’’に取り付けられており、各回転板３，４の表面側と裏面側に千鳥状になるように、各回転板３，４の小孔９ａ，９ａを通じている。そして、畳み紐９は、支持ボックス７２の上壁に沿い、支持ボックス７２のプーリー７１側の側壁を貫通して垂れて、その垂れた部分にハンドル部９０が取り付けられている。
【００４１】
そして、畳む際には、ハンドル部９０を下方へ引っ張ることにより、畳み紐９が引っ張られ、各回転板３，４が最上段の回転板３’に重ねられて畳まれる。畳み紐９を引っ張った状態で固定することにより、上部に畳まれた各回転板３，４が、支持ボックス７２内に配されて、支持ボックス７２の前壁によって隠され、すっきりと収納される。
【００４２】
尚、各回転板３，４を畳むための手段としては、通常のロールスクリーンやベネシャンブラインド等に用いられている、回転軸にプーリーを取り付けてボールチェーンや操作コードで畳み上げる方式や、電動モータを駆動させて巻取りドラムで畳み上げる方式などであってもよい。
【００４３】
図９は、帯布の横ずれ防止手段を説明するための斜視図である。図９に示すように、採光調節装置は、各回転板３，４の全部又は一部に横ずれ防止手段８を備えている。横ずれ防止手段８は、各帯布１，２の横幅に合わせて等間隔に設けられており、回転板３，４の少なくとも一方面から突出し、この突出により各帯布１，２の横移動を防止する。
【００４４】
尚、上記した実施形態の採光調節装置では、回転板３，４及び帯布１，２は、遮光部分３ａ，４ａ及び１ａ，２ａと採光部分３ｂ，４ｂ及び１ｂ，２ｂとが横方向及び縦方向に夫々交互に設けられているが、これに限らず、例えば、横方向に対しては、遮光部分、遮光部分、採光部分、採光部分、遮光部分、遮光部分、・・・というように配されていてもよい。
【産業上の利用可能性】
【００４５】
本発明に係る採光調節装置は、建物等の窓に配して室内への採光を調節したり、天井から吊り下げることにより間仕切りとして使用することもできる。
【図面の簡単な説明】
【００４６】
【図１】採光状態における採光調節装置の表面側を示す正面図である。
【図２】図２は、図１の一部を破断した状態を示す側面図である。
【図３】採光調節装置の組み立て工程を説明するための正面図である。
【図４】採光状態における採光調節装置を示し、（ａ）は図１に示すＩ−Ｉ線断面図、（ｂ）は図１に示すＩＩ−ＩＩ線断面図である。
【図５】遮光状態における採光調節装置の表面側を示す正面図である。
【図６】遮光状態における採光調節装置を示し、（ａ）は図３に示すＩＩＩ−ＩＩＩ線断面図、（ｂ）は図３に示すＩＶ−ＩＶ線断面図である。
【図７】Ｉ−Ｉ線断面（図１）からＩＩＩ−ＩＩＩ線断面（図５）に切り替わる動作を示す断面図である。
【図８】ＩＩ−ＩＩ線断面（図１）からＩＶ−ＩＶ線断面（図５）に切り替わる動作を示す断面図である。
【図９】帯布の横ずれ防止手段を説明するための斜視図である。
【符号の説明】
【００４７】
１  第一の帯布
２  第二の帯布
１ａ  第一の帯布における遮光部分
１ｂ  第一の帯布における採光部分
２ａ  第二の帯布における遮光部分
２ｂ  第二の帯布における採光部分
１０  第一の帯布における上端
２０  第一の帯布における上端
３  第一の回転板
４  第二の回転板
３ａ  第一の回転板における遮光部分
３ｂ  第一の回転板における採光部分
４ａ  第二の回転板における遮光部分
４ｂ  第二の回転板における採光部分
３’  最上段の回転板
３’’  最下段の回転板
３０  第一の回転板における表面
３１  第一の回転板における裏面
７  回転軸
７ａ  一方向（回転板の反転方向）
７ｂ  他方向（回転板の反転方向）
８  横ずれ防止手段
９  畳み紐
【図１】
2008007948.tif 000003
【図２】
2008007948.tif 000004
【図３】
2008007948.tif 000005
【図４】
2008007948.tif 000006
【図５】
2008007948.tif 000007
【図６】
2008007948.tif 000008
【図７】
2008007948.tif 000009
【図８】
2008007948.tif 000010
【図９】
2008007948.tif 000011